(57)【要約】【課題】入金取引時に出金取引用の紙幣の表裏を揃えて紙幣収納カセットに収納させる。【解決手段】入金取引時に、鑑別部３で表裏の一方側と鑑別された紙幣を搬送路１０ｂで紙幣収納カセット（４ａ〜４ｄ）へ搬送して収納し、他方側と鑑別された紙幣を搬送路（１０ｂ、１０ｆ、１０ｃ）で接客部１の取り込み手段へ搬送して戻し、その紙幣を接客部１の分離手段で再度繰り出し、搬送路（１０ａ、１０ｂ）で紙幣収納カセット（４ａ〜４ｄ）へ搬送して紙幣の表裏を揃えて収納するようにした。【選択図】        図１
2008210048.tif 000002
【特許請求の範囲】
【請求項１】
紙幣を１枚ずつ分離して繰り出す分離手段と、その分離手段と同側に紙幣を取り込む取り込み手段を有し、入金する紙幣の投入を受け付けるとともにその投入された紙幣または前記取り込み手段で取り込んだ紙幣を前記分離手段で分離して繰り出す接客部と、
紙幣を収納する紙幣収納カセットと、
前記接客部の分離手段から繰り出された紙幣を前記紙幣収納カセットへ搬送する第１の搬送路と、
前記第１の搬送路上に紙幣を鑑別する鑑別部と、
前記鑑別部で鑑別された紙幣を前記接客部の取り込み手段へ搬送する第２の搬送路とを設け、
入金取引時に、前記鑑別部で表裏の一方側と鑑別された紙幣を前記第１の搬送路で紙幣収納カセットへ搬送して収納し、他方側と鑑別された紙幣を前記第２の搬送路で前記接客部の取り込み手段へ搬送して戻し、その紙幣を前記接客部の分離手段で再度繰り出し、前記第１の搬送路で前記紙幣収納カセットへ搬送して紙幣の表裏を揃えて収納するようにしたことを特徴とする紙幣処理装置。
【請求項２】
請求項１の紙幣処理装置において、
前記紙幣収納カセットに表裏を揃えて収納された紙幣を接客部へ搬送して出金するようにしたことを特徴とする紙幣処理装置。
【発明の詳細な説明】
【技術分野】
【０００１】
本発明は、顧客等の操作により各種の取引を行う自動取引装置に組み込まれる紙幣処理装置に関する。
【背景技術】
【０００２】
従来の紙幣処理装置は、入金時に入金された紙幣を一括して集積部に集積させておき、出金用の紙幣を収納しておく収納部の紙幣が所定の収納量以下になると集積部に集積された紙幣を収納部にその表裏を揃えながら補充するようにして出金時に紙幣の表裏を揃えて出金できるようにしている（例えば、特許文献１参照）。
また、入金時に入金された紙幣のうち「表」が上となっている紙幣を出金用の収納部に収納し、一方「裏」が上となっている紙幣を一括収納部へ収納しておき、収納部の紙幣が所定の収納量以下になると一括収納部に収納された「裏」が上となっている紙幣を、表裏を揃えながら収納部に補充するようにして出金時に紙幣の表裏を揃えて出金できるようにしているものもある（例えば、特許文献２参照）。
【特許文献１】特許第２６４７４７３号公報（３頁、図４）
【特許文献２】特開２０００−１１２３８号公報（段落「００３０」〜段落「００４１」、図３、図４）
【発明の開示】
【発明が解決しようとする課題】
【０００３】
しかしながら、上述した従来の技術においては、入金された紙幣のうち「裏」（または「表」）が上になった紙幣は一括収納部等へ一旦収納されることになり、入金時に出金用の紙幣を収納する収納部に収納される紙幣が少なくなってしまうため、一括収納部等に収納された紙幣を収納部へ補充する補充動作が頻繁に行われその補充動作中は出金動作を行うことができないこと、更には一括収納部等が装着されていないと入金や出金の取引ができないという問題がある。
【０００４】
本発明は、このような問題を解決することを課題とする。
【課題を解決するための手段】
【０００５】
そのため、本発明は、紙幣を１枚ずつ分離して繰り出す分離手段と、その分離手段と同側に紙幣を取り込む取り込み手段を有し、入金する紙幣の投入を受け付けるとともにその投入された紙幣または前記取り込み手段で取り込んだ紙幣を前記分離手段で分離して繰り出す接客部と、紙幣を収納する紙幣収納カセットと、前記接客部の分離手段から繰り出された紙幣を前記紙幣収納カセットへ搬送する第１の搬送路と、前記第１の搬送路上に紙幣を鑑別する鑑別部と、前記鑑別部で鑑別された紙幣を前記接客部の取り込み手段へ搬送する第２の搬送路とを設け、入金取引時に、前記鑑別部で表裏の一方側と鑑別された紙幣を前記第１の搬送路で紙幣収納カセットへ搬送して収納し、他方側と鑑別された紙幣を前記第２の搬送路で前記接客部の取り込み手段へ搬送して戻し、その紙幣を前記接客部の分離手段で再度繰り出し、前記第１の搬送路で前記紙幣収納カセットへ搬送して紙幣の表裏を揃えて収納するようにしたことを特徴とする。
【発明の効果】
【０００６】
このようにした本発明は、入金時に出金用の紙幣の表裏を揃えて紙幣収納カセットに収納することができ、補充動作が行われる頻度を減少させ、出金動作を妨げることが少なくなるという効果が得られる。
【発明を実施するための最良の形態】
【０００７】
以下、図面を参照して本発明による紙幣処理装置の実施例を説明する。
【実施例】
【０００８】
図１は実施例における紙幣処理装置の内部構成を示す側面図である。
図１において１は接客部で、この接客部１には図示しないシャッターが設けられており、顧客が自動取引装置を操作して取引を行う際はこのシャッターが開閉して紙幣の出し入れが可能になるように制御されるものとなっている。
この接客部１内には、顧客が紙幣を投入する際には開口部が上に向きかつ紙幣の分離や取り込みを行うときは開口部が横を向くように角度変化する紙幣保持部材２と、入金取引時に顧客により紙幣保持部材２にセットされた紙幣を１枚ずつ分離して装置内に送り込む分離手段、および表裏を反転させるための紙幣、顧客に返却する紙幣や出金取引時に顧客に支払う紙幣等を紙幣保持部材２に取り込む取り込み手段を有している。
【０００９】
この接客部１は紙幣の分離や取り込みを行うときに角度変化する紙幣保持部材２の開口部側の上部に紙幣取り込み口を有し、この取り込み口と同側の下部に繰り出し口を有している。
また、その紙幣取り込み口から取り込んだ紙幣を分離手段で１枚ずつ分離して装置内に送り込むことができるようになっている。したがって、紙幣取り込み口から取り込んだ紙幣を折り返して分離手段で１枚ずつ分離して装置内に送り込むことにより、その紙幣の表裏を反転させることができるようになっている。
【００１０】
３は鑑別部で、この鑑別部３は、紙幣の真偽、金種、正損、表裏の鑑別を行うと共に、重送、連鎖、斜行等の搬送異常の検知、および金種が確定した紙幣の計数を行う機能を有している。
ここで、本実施例において、紙幣の「表」とは、紙幣の表裏の一方側、例えば人物が印刷されている面をいい、「裏」とは、その反対側の面をいうものとし、鑑別部３は、「表」を上方として通過した紙幣を「表」と鑑別し、「裏」を上方として通過した紙幣を「裏」と鑑別するものとする。
【００１１】
４ａ〜４ｄは紙幣収納カセットで、ここでは４個並べて配置しているが、この数に限られるものではなく、運用形態等に応じて少なくとも１つ備えていればよい。
紙幣収納カセット４ａ〜４ｄにはそれぞれ上部一端に紙幣の取り込みおよび繰り出し用の開口部が形成されており、各々の開口部には紙幣収納カセット４ａ〜４ｄ内に紙幣を１枚ずつ送り込んで集積させると共に紙幣収納カセット４ａ〜４ｄ内から紙幣を１枚ずつ分離して繰り出す複数のローラから成る集積繰り出し手段が設けられている。
【００１２】
また、紙幣収納カセット４ａ〜４ｄ内にはそれぞれ昇降可能なステージが設けられており、紙幣収納カセット４ａ〜４ｄ内に収納される紙幣はこのステージ上に集積され、各ステージは紙幣の収納、繰り出しに応じて昇降動作するものとなっている。
５は入金取引時および出金取引時の紙幣の搬送方向における鑑別部３の下流側に配置された一時保留部で、接客部１側の上部に紙幣取り込み口を有し、この取り込み口と同側の下部に繰り出し口を有している。そして一時保留部５内には紙幣を取り込むための複数のローラから成る取り込み手段と、紙幣を一枚ずつ分離して繰り出す複数のローラから成る繰り出し手段が前記取り込み口と繰り出し口に対応して設けられている。
【００１３】
この一時保留部５は、入金取引時に鑑別部３で入金可能と鑑別された紙幣を、入金が確定するまで一時保留するために用いられる。
６は補充回収カセットで、この補充回収カセット６は紙幣処理装置に対して着脱可能に設けられている。
この補充回収カセット６は、紙幣収納カセット４ａ〜４ｄに対して紙幣の補充および該紙幣収納カセット４ａ〜４ｄから紙幣の回収を行うために使用される一括収納部であるが、本発明とは直接関係がないのでその詳細については説明を省略する。
【００１４】
７は出金取引時等に顧客が取り忘れた紙幣を収納する取忘れ紙幣収納カセット、８は入金取引時に鑑別部３で入金可能であるが出金用紙幣として再利用するには不適当な損券と鑑別された紙幣を収納する損券カセット、９は出金取引時および補充回収カセット６への回収時に鑑別部３で金種不明等のリジェクト紙幣と鑑別された紙幣を収納するリジェクト専用カセットで、これらのカセット７〜９も紙幣処理装置に対して着脱可能に設けられている。
【００１５】
１０ａ〜１０ｈは紙幣を搬送する搬送路である。
ここで、搬送路１０ａと１０ｂは、接客部１の分離手段から鑑別部３を経由し、コの字を描くように下方に反転して紙幣収納カセット４ａ〜４ｄに対応する各集積繰り出し手段に至る入金経路を成し、搬送路１０ｂと１０ｃは紙幣収納カセット４ａ〜４ｄに対応する各集積繰り出し手段から鑑別部３を経由して一時保留部５の下側から逆コの字を描くように一時保留部５の上方に反転して接客部１の取り込み手段に至る出金経路を成すように設けられており、従って搬送路１０ｂは入金経路と出金経路とで共用されるものとなっている。
【００１６】
また、搬送路１０ｃと搬送路１０ｂは、紙幣の装填・補充時に補充回収カセット６から鑑別部３を経て紙幣収納カセット４ａ〜４ｄに対応する各集積繰り出し手段に至る装填・補充経路としても利用される。
そのため、少なくとも搬送路１０ｂと１０ｃは紙幣の入金、装填・補充時と出金時とで紙幣を逆の方向に搬送するように駆動制御されるものとなっている。
【００１７】
このような紙幣の搬送経路において、一時保留部５は入金時および出金時の紙幣の搬送方向における鑑別部３の下流側に配置されており、そして搬送路１０ｄは接客部１の取り込み手段の手前で搬送路１０ｃから分岐して一時保留部５の取り込み口に至る経路を成すように設けられている。
この搬送路１０ｄは搬送路１０ｃにより搬送されてきた紙幣を反転して一時保留部５の取り込み口に送るように配置されている。
【００１８】
また、搬送路１０ｅは一時保留部５の繰り出し口を始点として搬送路１０ｃの鑑別部３側へ合流する経路を成すように設けられており、搬送路１０ｆは搬送路１０ｂから分岐して搬送路１０ｃに合流するバイパス経路を成すように設けられている。
搬送路１０ｇは搬送路１０ｂの終端から取り忘れ紙幣収納カセット７、損券カセット８、およびリジェクト専用カセット９の各紙幣取り込み口に至る経路を成すように、更に搬送路１０ｈは搬送路１０ｃの途中から分岐して搬送路１０ｇに合流する経路を成すように設けられている。
【００１９】
そして、これらの搬送路の分岐部や合流部には図示しないブレードが設けられ、紙幣の搬送方向を切り替えるようなっている。
このような構成を有する本装置において、以下に説明する各部の動作は、各実施例とも図示しない記憶部に格納されたプログラム（ソフトウェア）に基づいて図示しない制御部により制御されるものとなっている。
【００２０】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
図２〜図５は実施例における入金時の動作を示す説明図であり、図６は実施例における出金時の動作を示す説明図である。
【００２１】
なお、本実施例では、図１で説明した紙幣収納カセット４ａ〜４ｄのうち、紙幣収納カセット４ａ、４ｂは万円紙幣を収納する金種別カセット、紙幣収納カセット４ｃ、４ｄは千円紙幣を収納する金種別カセットとして用いるように設定されているものとする。
まず、入金時の動作を図２〜図５に基づいて説明する。
入金取引時に顧客または金融機関のオペレータが入金する紙幣を接客部１内に投入する。
【００２２】
接客部１内に投入された紙幣は図２に示すように接客部１から分離手段により１枚ずつ繰り出されて搬送路１０ａおよび搬送路１０ｂにより鑑別部３に搬送され、この鑑別部３で紙幣の金種、表裏等の鑑別が行われるとともに重走、連鎖、斜行等の搬送異常の検知が行われる。
その結果、金種が確定し、搬送異常も検知されない正常と鑑別された紙幣は計数されて搬送路１０ｆ、搬送路１０ｃにより搬送され、接客部１の手前で搬送方向が切り替えられて搬送路１０ｄに送り込まれた後、一時保留部５に設けられた取り込み手段により一時保留部５内に取り込まれて集積され、一時保留される。
【００２３】
また、金種不明あるいは搬送異常が検知されてリジェクト紙幣と鑑別された紙幣は搬送路１０ｆおよび搬送路１０ｃにより接客部１に搬送され、取り込み手段により紙幣保持部材２に取り込まれて集積される。
このような処理が繰り返され、接客部１内に投入されたすべての紙幣が１枚ずつ繰り出されて正常と鑑別された紙幣は一時保留部５へ、リジェクト紙幣と鑑別された紙幣は接客部１へ搬送される。なお、接客部１へ搬送されたリジェクト紙幣は図示しない仕切り板により投入された紙幣と仕切られ、投入されたすべての紙幣が繰り出されると紙幣保持部材２はその開口部が上方を向くように角度変化し、シャッターが開いて紙幣が顧客またはオペレータに返却され、紙幣が取り出されるとシャッターは閉じられる。
【００２４】
次に、一時保留部５へ搬送された紙幣は図３に示すように一時保留部５から繰り出し手段により紙幣が１枚ずつ分離して繰り出されて搬送路１０ｅおよび搬送路１０ｂにより鑑別部３に搬送され、この鑑別部３で紙幣の金種、表裏等の鑑別が行われるとともに重走、連鎖、斜行等の搬送異常の検知が行われる。
その結果、金種が確定し、搬送異常も検知されない正常かつ「表」と鑑別された紙幣は計数されて搬送路１０ｂにより各金種別カセットへ搬送され、集積繰り出し手段により万円紙幣は紙幣収納カセット４ａまたは紙幣収納カセット４ｂ内に収納され、千円紙幣は紙幣収納カセット４ｃまたは紙幣収納カセット４ｄ内に収納される。
【００２５】
一方、金種が確定し、搬送異常も検知されない正常かつ「裏」と鑑別された紙幣は計数されて図４に示すように搬送路１０ｆおよび搬送路１０ｃにより接客部１に搬送され、取り込み手段により紙幣保持部材２に取り込まれて集積される（接客部１に戻される）。
なお、金種不明あるいは搬送異常が検知されてリジェクト紙幣と鑑別された紙幣は搬送路１０ｂ、搬送路１０ｈ、および搬送路１０ｇにより損券カセット８に搬送され、取り込み手段により取り込まれる。
【００２６】
このような処理が繰り返され、一時保留部５内に集積されたすべての紙幣が１枚ずつ繰り出されて正常かつ「表」と鑑別された紙幣はその「表」を下方として各金種別カセットへ、正常かつ「裏」と鑑別された紙幣は「表」を下方として接客部１へ搬送されて集積され、リジェクト紙幣と鑑別された紙幣は損券カセット８へ搬送される。
次に、接客部１へ搬送された紙幣は図５に示すように再度接客部１から繰り出し手段により紙幣が１枚ずつ分離して繰り出されて搬送路１０ａおよび搬送路１０ｂにより鑑別部３に搬送され、この鑑別部３で紙幣の金種、表裏等の鑑別が行われるとともに重走、連鎖、斜行等の搬送異常の検知が行われる。
【００２７】
その結果、金種が確定し、搬送異常も検知されない正常かつ「表」と鑑別された紙幣は計数されて搬送路１０ｂにより各金種別カセットへ搬送され、集積繰り出し手段により万円紙幣は紙幣収納カセット４ａまたは紙幣収納カセット４ｂ内に収納され、千円紙幣は紙幣収納カセット４ｃまたは紙幣収納カセット４ｄ内に収納される。
ここで、接客部１のすべての紙幣は「表」を下方として集積されているため鑑別部３ではすべての紙幣が「表」と鑑別される。
【００２８】
なお、金種不明あるいは搬送異常が検知されてリジェクト紙幣と鑑別された紙幣は搬送路１０ｂおよび搬送路１０ｇにより損券カセット８に搬送され、取り込み手段により取り込まれる。
このような処理が繰り返され、接客部１内に集積されたすべての紙幣が１枚ずつ繰り出されて正常と鑑別された紙幣はその「表」を下方として各金種別カセットへ搬送されて集積され、リジェクト紙幣と鑑別された紙幣は損券カセット８へ搬送される。
【００２９】
したがって、各金種別カセットへ搬送された出金可能なすべての紙幣はその「表」を下方とし、表裏が揃えられて集積される。
上述したように入金の動作を行う。
なお、本実施例では、一時保留部５は紙幣収納カセット（４ａ〜４ｄ）から分離したものとして説明したが、入金取引時に鑑別部３で入金可能と鑑別された紙幣を入金が確定するまで一時保留することができるものであれば、紙幣収納カセット（４ａ〜４ｄ）の上部に収納を一時保留するための保留（集積）板で構成されたものであってもよい。この場合、正常かつ「表」と鑑別された紙幣を搬送路１０ａと１０ｂ（第１の搬送路）で紙幣収納カセット（４ａ〜４ｄ）の上部に設けられた一時保留部５へ搬送し、「表」を下方として収納させ、正常かつ「裏」と鑑別された紙幣を搬送路１０ｆおよび搬送路１０ｃ（第２の搬送路）で接客部１へ搬送して紙幣の表裏を反転させるようにしてもよい。
【００３０】
次に、出金時の動作を図６に基づいて説明する。
なお、上述した入金の動作により、各金種別カセットへ搬送された出金可能なすべての紙幣はその「表」を下方とし表裏が揃えられて集積されているものとする。
出金取引時に顧客または金融機関のオペレータが出金金種、金額を指定する。
指定された金種に万円紙幣がある場合、図６に示すように紙幣収納カセット４ａまたは紙幣収納カセット４ｂから集積繰り出し手段により紙幣が１枚ずつ繰り出されて搬送路１０ｂにより鑑別部３に搬送され、また指定された金種に千円紙幣がある場合、図６に示すように紙幣収納カセット４ｃまたは紙幣収納カセット４ｄから集積繰り出し手段により紙幣が１枚ずつ繰り出されて搬送路１０ｂにより鑑別部３に搬送され、この鑑別部３で紙幣の金種、表裏等の鑑別が行われると共に、重送、連鎖、斜行等の搬送異常の検知が行われる。
【００３１】
その結果、金種が確定し、搬送異常も検知されない正常と鑑別された紙幣は計数されて搬送路１０ｃにより接客部１に搬送され、取り込み手段により紙幣保持部材２に取り込まれて紙幣の「表」を下方にして集積される。
また、金種不明あるいは搬送異常が検知されてリジェクト紙幣と鑑別された紙幣は搬送路１０ｂ、搬送路１０ｈ、および搬送路１０ｇによりリジェクト専用カセット９に搬送され、取り込み手段により取り込まれる。
【００３２】
このような処理が繰り返され、接客部１の紙幣保持部材２に指定枚数の万円紙幣と千円紙幣が集積されて揃うと、紙幣保持部材２はその開口部が上方を向くように角度変化し、シャッターが開いて表裏が揃えられた紙幣が顧客またはオペレータに支払われ、紙幣が取り出されるとシャッターは閉じられる。
上述したように出金の動作を行い、表裏が揃えられた紙幣を顧客またはオペレータに支払うようにする。
【００３３】
なお、本実施例では入金時に各金種別カセットに集積されたすべての紙幣はその「表」を下方となるように説明したが、それに限られることなく紙幣の「裏」が下方になるようにしてもよい。
また、補充回収カセット６は収納された紙幣を分離して繰出す繰り出し口と同側に紙幣取り込み口を有し、紙幣取り込み口から取り込んだ紙幣を折り返して分離手段で１枚ずつ分離して装置内に送り込むことにより、その紙幣の表裏を反転させることができるようになっている。
【００３４】
この補充回収カセット６から各金種別カセットへ補充する場合、補充回収カセット６から繰り出し手段により紙幣が１枚ずつ分離して繰り出されて搬送路１０ｂにより鑑別部３に搬送され、この鑑別部３で正常かつ「表」と鑑別された紙幣は計数されて搬送路１０ｂにより各金種別カセットへ搬送されて収納される。
一方、正常かつ「裏」と鑑別された紙幣は計数されて搬送路１０ｂおよび搬送路１０ｇにより紙幣取り込み口へ搬送されて確定集積部に集積される。確定集積部に集積された紙幣は図示しない昇降可能なステージで繰出し手段へ送られ、再度１枚ずつ分離して繰り出されて搬送路１０ｂにより鑑別部３に搬送され、この鑑別部３で正常かつ「表」と鑑別された紙幣は計数されて搬送路１０ｂにより各金種別カセットへ搬送されて収納される。
【００３５】
このようにして補充回収カセット６から各紙幣収納カセットへ補充する場合も各金種別カセットへ搬送された出金可能なすべての紙幣はその「表」を下方とし、表裏が揃えられて集積される。
以上説明したように、本実施例では、入金された紙幣のうち鑑別部で「表」と鑑別された紙幣を紙幣収納カセットに搬送して集積し、一方鑑別部で「裏」と鑑別された紙幣を一旦接客部へ戻すことで反転させた後、紙幣収納カセットに搬送して集積するようにしたため、入金時に出金用の紙幣の表裏を揃えて紙幣収納カセットに収納することができ、補充動作が行われる頻度を減少させることができるという効果が得られる。
【００３６】
また、紙幣の搬送路の一部に紙幣の表裏を反転させる特別な反転機構を設けることなく、入金取引時に出金取引用の紙幣の表裏を揃えて紙幣収納カセットに収納することができるため、装置が大型することなく、またコストがかからないという効果が得られる。
さらに、補充回収カセットを利用しないので補充回収カセットを取外した状態での運用も維持できるという効果が得られる。
【図面の簡単な説明】
【００３７】
【図１】実施例における紙幣処理装置の内部構成を示す側面図
【図２】実施例における入金時の動作（接客部から一時保留部）を示す説明図
【図３】実施例における入金時の動作（一時保留部から紙幣収納カセット）を示す説明図
【図４】実施例における入金時の動作（一時保留部から接客部）を示す説明図
【図５】実施例における入金時の動作（接客部から紙幣収納カセット）を示す説明図
【図６】実施例における出金時の動作を示す説明図
【符号の説明】
【００３８】
１    接客部
２    紙幣保持部材
３    鑑別部
４ａ〜４ｄ    紙幣収納カセット
５    一時保留部
６    補充回収カセット
７    取り忘れ紙幣収納カセット
８    損券カセット
９    リジェクト専用カセット
１０ａ〜１０ｈ  搬送路
【図１】
2008210048.tif 000003
【図２】
2008210048.tif 000004
【図３】
2008210048.tif 000005
【図４】
2008210048.tif 000006
【図５】
2008210048.tif 000007
【図６】
2008210048.tif 000008